(57)【要約】  本発明は、ケーブル支持体１００、及び該支持体に挿入されるケーブルＣを備える組立体ＥＳＢに関し、ケーブル支持体は、以下を備える。  −  剛性材料で作られ、長手方向軸ＡＬが設けられた少なくとも１つのレセプタクル１１を備える、少なくとも１つの基部１０であって、該長手方向軸ＡＬに垂直な平面で得られるレセプタクル１１の内側寸法Ｄｉｎｔが与えられる、少なくとも１つの基部１０。  −  基部の材料よりも柔軟な材料で作られ、少なくとも２つの唇部２１、２２を備える少なくとも１つのストラップ２０であって、該唇部は、一方では、該唇部２１、２２間にケーブルの通路用のスロットＦを画定するように、互いに向かい合って配置され、他方では、該ケーブルＣが挿入されるオリフィスＯを画定するように形作られ、このオリフィスＯは、長手方向軸ＡＬ’を備え、オリフィスＯ、Ｏ’のこの長手方向軸ＡＬ’に沿って該スロットＦと連通し、該唇部２１、２２は一体で、オリフィスＯの長手方向軸ＡＬ’に垂直な平面で得られ、レセプタクル１１の内側寸法以上である外側寸法Ｄ’ｅｘｔを有する、少なくとも１つのストラップ２０。
2021516533.tif 000002
【特許請求の範囲】
【請求項１】
ケーブル支持体（１００、１００’、１００’’、１００’’’）及び前記支持体に挿入されるケーブル（Ｃ）を備える組立体（ＥＳＢ）であって、前記ケーブル支持体は、
剛性材料で作られ、長手方向軸（ＡＬ）が設けられた少なくとも１つのレセプタクル（１１、１１’）を備える少なくとも１つの基部（１０、１０’、１０’’）であって、前記長手方向軸（ＡＬ）に垂直な平面で得られる前記レセプタクルの内側寸法Ｄｉｎｔが与えられる、少なくとも１つの基部（１０、１０’、１０’’）と、
前記基部の材料よりも柔軟な材料で作られ、少なくとも２つの唇部（２１、２２；２１’、２２’）を備える少なくとも１つのストラップ（２０、２０’、２０’’）であって、前記唇部は、一方では、前記唇部（２１、２２；２１’、２２’）間にケーブルの通路用のスロット（Ｆ、Ｆ’）を画定するように、互いに向かい合って配置され、他方では、前記ケーブル（Ｃ）が挿入されるオリフィス（Ｏ、Ｏ’）を画定するように形作られ、前記オリフィス（Ｏ、Ｏ’）は、長手方向軸（ＡＬ’）を備え、前記オリフィス（Ｏ、Ｏ’）の前記長手方向軸（ＡＬ’）に沿って前記スロット（Ｆ、Ｆ’）と連通し、前記唇部（２１、２２；２１’、２２’）は一体で、前記オリフィス（Ｏ、Ｏ’）の前記長手方向軸（ＡＬ’）に垂直な平面で得られ、前記レセプタクル（１１、１１’）の前記内側寸法以上である外側寸法Ｄ’ｅｘｔを有する、少なくとも１つのストラップ（２０、２０’、２０’’）と
を備える、組立体（ＥＳＢ）。
【請求項２】
前記唇部（２１、２２；２１’、２２’）の少なくとも一方には、前記唇部（２１、２２；２１’、２２’）の外面と前記スロット（Ｆ、Ｆ’）との間に斜面（２３、２４）が設けられている、請求項１に記載の組立体（ＥＳＢ）。
【請求項３】
各唇部（２１、２２；２１’、２２’）は、前記オリフィス（Ｏ、Ｏ’）の前記長手方向軸（ＡＬ’）に沿って延在する外側溝（２５、２６；２５’、２６’）を有し、
前記レセプタクル（１１、１１’）は、前記レセプタクル（１１、１１’）の前記長手方向軸（ＡＬ）に沿って延在する２つの突出部（１２、１３；１２’、１３’）を有し、
前記突出部（１２、１３；１２’、１３’）の配置及び寸法は、前記溝（２５、２６；２５’、２６’）の配置及び寸法に対応し、それにより、前記唇部（２１、２２；２１’、２２’）が前記レセプタクルに挿入されるとき、前記レセプタクルの前記突出部（１２、１３；１２’、１３’）は、前記唇部（２１、２２；２１’、２２’）の前記溝（２５、２６；２５’、２６’）に挿入され得る、請求項１又は２に記載の組立体（ＥＳＢ）。
【請求項４】
前記少なくとも１つのストラップ（２０）は取外し可能である、請求項１から３までのいずれか一項に記載の組立体（ＥＳＢ）。
【請求項５】
前記少なくとも１つの基部（１０、１０’、１０’’）は、前記レセプタクル（１１、１１’）の両側にフック（１４、１５；１４’、１５’）を備え、
前記少なくとも１つのストラップ（２０、２０’、２０’’）は、前記唇部（２１、２２；２１’、２２’）の両側に、縁部（Ｂ１、Ｂ２）が前記レセプタクル（１１、１１’）の対応するフック（１４、１５；１４’、１５’）と係合できる開口（２７、２８；２７’、２８’）を有する、
請求項１から４までのいずれか一項に記載の組立体（ＥＳＢ）。
【請求項６】
前記レセプタクル（１１）の前記対応するフック（１４、１５）と係合できる前記縁部（Ｂ１、Ｂ２）の少なくとも一方は、補強手段（Ｍ）を備える、請求項５に記載の組立体（ＥＳＢ）。
【請求項７】
前記少なくとも１つのストラップ（２０）は、ユーザ用の少なくとも１つの把持領域（ＺＰ）を備える、請求項１から６までのいずれか一項に記載の組立体（ＥＳＢ）。
【請求項８】
前記少なくとも１つの基部（１０’）は、少なくとも２つのレセプタクル（１１、１１’）と、各レセプタクル（１１、１１’）と結合される請求項１から７までのいずれか一項に記載のストラップ（２０、２０’）とを備える、請求項１から７までのいずれか一項に記載の組立体（ＥＳＢ）。
【請求項９】
前記少なくとも１つの基部（１０’’）は、少なくとも２つのレセプタクル（１１、１１’）と、前記２つのレセプタクル用の共通のストラップ（２０’’）とを備え、前記共通のストラップ（２０’’）は、請求項１から８までのいずれか一項に記載の２対の唇部（２１、２２；２１’、２２’）を備え、唇部の各対は、前記２つのレセプタクル（１１、１１’）の一方と係合するように意図されている、請求項１から７までのいずれか一項に記載の組立体（ＥＳＢ）。
【請求項１０】
前記少なくとも１つのストラップ（２０、２０’、２０’’）を形成する材料は、４０から８５の間に含まれるショアＡ硬度のエラストマー（Ｅ）、又は４０から８５の間に含まれるショアＡ硬度の熱可塑性エラストマー（ＴＰＥ）である、請求項１から９までのいずれか一項に記載の組立体（ＥＳＢ）。
【請求項１１】
４０から８５の間に含まれるショアＡ硬度の前記エラストマーは、シリコーン、ブタジエンアクリロニトリル（ＮＢＲ）、フルオロエラストマー、特にフルオロシリコーン、ポリアクリルエラストマー（ＡＣＭ）、ポリクロロプレン（ＣＲ）、アクリル、クロロスルホン化ポリエチレン、エチレン−プロピレンコポリマー、ポリウレタン（ＰＵ）、天然エラストマー（ＮＲ）の中から選択される、請求項１０に記載の組立体（ＥＳＢ）。
【請求項１２】
４０から８５の間に含まれるショアＡ硬度の前記熱可塑性エラストマーは、熱可塑性ポリウレタン（ＴＰＵ）である、請求項１０に記載の組立体（ＥＳＢ）。
【請求項１３】
前記少なくとも１つの基部（１０、１０’、１０’’）を形成する材料は、熱可塑性物質（ＴＰ）である、請求項１から１２までのいずれか一項に記載の組立体（ＥＳＢ）。
【請求項１４】
前記基部の前記熱可塑性材料は、ポリエーテルエーテルケトン（ＰＥＥＫ）、ポリイミド（ＰＩ）、ポリエーテルケトンケトン（ＰＥＫＫ）、ポリアミド（ＰＡ）、フェニレンポリスルフィド（ＰＰＳ）、ポリフェニルスルホン（ＰＰＳＵ）、ポリテトラフルオロエチレン（ＰＴＦＥ）、ポリフッ化ビニリデン（ＰＶＤＦ）、クロロトリフルオロエチレンエチレン（Ｅ−ＣＴＦＥ）、ポリエチレン（ＰＥＴ）、ポリプロピレン（ＰＰ）の中から選択される、請求項１３に記載の組立体（ＥＳＢ）。
【請求項１５】
前記少なくとも１つの基部（１０、１０’、１０’’）を形成する前記材料は、ポリエーテルエーテルケトン（ＰＥＥＫ）であり、
前記少なくとも１つのストラップ（２０、２０’、２０’’）を形成する前記材料は、ショアＡ硬度が４０から８５の間に、有利には５０から７０の間に含まれるシリコーンである、
請求項１から１４までのいずれか一項に記載の組立体（ＥＳＢ）。
【請求項１６】
前記少なくとも１つの基部（１０、１０’、１０’’）を形成する前記材料は、ポリアミド（ＰＡ）であり、
前記少なくとも１つのストラップ（２０、２０’、２０’’）を形成する前記材料は、ショアＡ硬度が４０から８５の間に含まれるポリウレタンである、
請求項１から１４までのいずれか一項に記載の組立体（ＥＳＢ）。
【発明の詳細な説明】
【技術分野】
【０００１】
本発明は、ケーブルの支持体に関する。
【背景技術】
【０００２】
ケーブルとは、たとえば電源として使用され得る電気ケーブル、又は特に情報を送信するために使用され得る光ファイバのような光ケーブルも意味する。ケーブルの種類が何であれ、このケーブルは、センサ機能を有するか、又は１つ若しくは複数のセンサを備えることができる。
【０００３】
かかる支持体は、特に航空用途に使用され得る。
【０００４】
多数のケーブル支持体がある。
【０００５】
実際には、金属製又はプラスチック製のケーブル・クランプ、ヒンジ、又はクリップをベースとするケーブル支持体を目にする。
【０００６】
こうした様々な解決策は、完全に満足できるものではない。
【発明の概要】
【発明が解決しようとする課題】
【０００７】
本発明は、改善された解決策を提案することを目的とする。
【課題を解決するための手段】
【０００８】
本発明は、この目的のために、ケーブル支持体、及び該支持体に挿入されるケーブルを備える組立体を提案し、該ケーブル支持体は、以下を備える。
−  剛性材料で作られ、長手方向軸が設けられた少なくとも１つのレセプタクルを備える少なくとも１つの基部であって、該長手方向軸に垂直な平面で得られるレセプタクルの内側寸法Ｄｉｎｔが与えられる、少なくとも１つの基部。
−  基部の材料よりも柔軟な材料で作られ、少なくとも２つの唇部（ｌｉｐ）を備える少なくとも１つのストラップであって、該唇部は、一方では、該唇部間にケーブルの通路用スロットを画定するように、互いに向かい合って配置され、他方では、該ケーブルが挿入されるオリフィスを画定するように形作られ、このオリフィスは、長手方向軸を備え、オリフィスのこの長手方向軸に沿って該スロットと連通し、該唇部は一体で、オリフィスの長手方向軸に垂直な平面で得られ、レセプタクルの内側寸法以上である外側寸法Ｄ’ｅｘｔを有する、少なくとも１つのストラップ。
【０００９】
本発明による締付けは、個別に又は組み合わせて用いられる以下の特徴のうちの１つ又は複数を含むことができる。
−  唇部の少なくとも一方には、該唇部の外面とスロットとの間に斜面が設けられている。
−  各唇部は、オリフィスの長手方向軸に沿って延在する外側溝を有し、レセプタクルは、レセプタクルの長手方向軸に沿って延在する２つの突出部を有し、該突出部の配置及びサイズは溝の配置及び寸法に対応し、それにより、唇部がレセプタクルに挿入されると、レセプタクルの突出部は、該唇部の溝に挿入され得る。
−  該少なくとも１つのストラップは、取外し可能である。
−  該少なくとも１つの基部は、レセプタクルの両側にフックを備え、該少なくとも１つのストラップは、唇部の両側に、縁部がレセプタクルの対応するフックと係合できる開口を有する。
−  レセプタクルの対応するフックと係合できる該縁部の少なくとも一方は、補強手段を備える。
−  該少なくとも１つのストラップは、ユーザ用の少なくとも１つの把持領域を備える。
−  該少なくとも１つの基部は、少なくとも２つのレセプタクルと、各レセプタクルと結合される本発明によるストラップとを備える。
−  該少なくとも１つの基部は、少なくとも２つのレセプタクルと、２つのレセプタクル用の共通のストラップとを備え、該共通のストラップは、本発明による２対の唇部を備え、唇部の各対は、２つのレセプタクルの一方と係合するように意図されている。
−  該少なくとも１つのストラップを形成する材料は、４０から８５の間に含まれるショアＡ硬度のエラストマー、又は４０から８５の間に含まれるショアＡ硬度の熱可塑性エラストマーである。
−  ４０から８５の間に含まれるショアＡ硬度の該エラストマーは、シリコーン、ブタジエンアクリロニトリル、フルオロエラストマー、特にフルオロシリコーン、ポリアクリルエラストマー、ポリクロロプレン、アクリル、クロロスルホン化ポリエチレン、エチレン−プロピレンコポリマー、ポリウレタン、天然エラストマーの中から選択される。
−  ４０から８５の間に含まれるショアＡ硬度の該熱可塑性エラストマーは、ポリウレタン熱可塑性物質である。
−  該少なくとも１つの基部を形成する材料は、熱可塑性物質である。
−  基部の熱可塑性材料は、ポリエーテルエーテルケトン、ポリイミド、ポリエーテルケトンケトン、ポリアミド、フェニレンポリスルフィド、ポリフェニルスルホン、ポリテトラフルオロエチレン、ポリフッ化ビニリデン、クロロトリフルオロエチレンエチレン、ポリエチレン、ポリプロピレンの中から選択される。
−  該少なくとも１つの基部を形成する材料は、ポリエーテルエーテルケトンであり、該少なくとも１つのストラップを形成する材料は、ショアＡ硬度が４０から８５の間に、有利には５０から７０の間に含まれるシリコーンである。
−  該少なくとも１つの基部を形成する材料は、ポリアミドであり、該少なくとも１つのストラップを形成する材料は、ショアＡ硬度が４０から８５の間に含まれるポリウレタンである。
【００１０】
非限定的な実例として提示する以下の説明を読み、添付図面を参照すると、本発明がよりよく理解され、本発明の他の詳細、特徴、及び利点が明らかとなろう。
【図面の簡単な説明】
【００１１】
【図１（ａ）】本発明の第１の実施例によるケーブル支持体の図である。
【図１（ｂ）】図１（ａ）のケーブル支持体の一部を形成するストラップの相異なる図である。
【図１（ｃ）】図１（ａ）のケーブル支持体の一部を形成するストラップの相異なる図である。
【図１（ｄ）】図１（ａ）のケーブル支持体の一部を形成するストラップの、特に支持体内にケーブルがある状態を表す、相異なる図である。
【図１（ｅ）】図１（ａ）のケーブル支持体の一部を形成する基部の相異なる図である。
【図１（ｆ）】図１（ａ）のケーブル支持体の一部を形成する基部の相異なる図である。
【図２（ａ）】本発明の第２の実施例によるケーブル支持体の、支持体内にケーブルのある状態を表す図である。
【図２（ｂ）】図２（ａ）及び図２（ｅ）のケーブル支持体の一部を形成するストラップの図である。
【図２（ｃ）】図２（ａ）及び図２（ｅ）のケーブル支持体の一部を形成する基部の図である。
【図２（ｄ）】図２（ａ）及び図２（ｅ）のケーブル支持体の一部を形成する基部の図である。
【図２（ｅ）】本発明の第２の実施例によるケーブル支持体の図である。
【図３】２本のケーブルを支持できる、本発明によるケーブル支持体の第３の実施例を表す図である。
【図４】やはり２本のケーブルを支持できる、本発明によるケーブル支持体の第４の実施例を表す図である。
【図５（ａ）】本発明による支持体、この場合、図１の支持体内にケーブルを取り付ける方法の相異なるステップを表す図である。
【図５（ｂ）】本発明による支持体、この場合、図１の支持体内にケーブルを取り付ける方法の相異なるステップを表す図である。
【図５（ｃ）】本発明による支持体、この場合、図１の支持体内にケーブルを取り付ける方法の相異なるステップを表す図である。
【図５（ｄ）】本発明による支持体、この場合、図１の支持体内にケーブルを取り付ける方法の相異なるステップを表す図である。
【発明を実施するための形態】
【００１２】
本発明は、ケーブルと、ケーブルＣが挿入されるケーブルＣの支持体１００、１００’、１００’’、１００’’’とを備える、ＥＳＢ組立体に関する。ケーブル支持体のいくつかの可能な実施例に対応する、このＥＳＢ組立体のいくつかの実施例を以下に提示する。
【００１３】
最初に、本発明によるケーブル支持体の第１の実施例の構造を、図１（ａ）から図１（ｆ）の補助を用いて（ｉｎ  ｓｕｐｐｏｒｔ  ｏｆ）説明することにする。
【００１４】
図１に表すケーブル支持体１００は、剛性材料で作られた少なくとも１つの基部１０と、基部の材料よりも柔軟な材料で作られた少なくとも１つのストラップ２０とを備える。
【００１５】
基部１０は、長手方向軸ＡＬが設けられた少なくとも１つのレセプタクル１１を備え、該長手方向軸ＡＬに垂直な平面で得られるレセプタクル１１の内側寸法Ｄｉｎｔが与えられる。基部１０は、本発明による支持体１００の外部の固定支持体（図１には示していないが、図５では見ることができる）に留められ得る、足部Ｐを備えることができる。
【００１６】
該少なくとも１つのストラップ２０は、唇部２１，２２間にケーブルの通路用のスロットＦを画定するように、互いに向かい合って配置された少なくとも２つの該唇部２１，２２を備える。さらに、これらの唇部は、該ケーブルを支持するためのオリフィスＯを画定するよう形作られている。オリフィスＯは、長手方向軸ＡＬ’を設けられ、この長手方向軸ＡＬ’に沿ってスロットＦと連通する。
【００１７】
オリフィスＯにケーブルが取り付けられた後、唇部２１、２２は一体に、オリフィスＯの長手方向軸ＡＬ’に垂直な平面で得られた寸法Ｄ’ｅｘｔを画定し、Ｄ’ｅｘｔは、レセプタクル１１の内側寸法Ｄｉｎｔと等しいか、又は有利にはレセプタクル１１の内側寸法Ｄｉｎｔより大きい。
【００１８】
実用的な観点から、これは、オリフィスＯにケーブルを挿入する前の、オリフィスＯの長手方向軸ＡＬ’に垂直な平面で得られた、レセプタクル１１の内側寸法Ｄｉｎｔに等しいか又は有利にはレセプタクル１１の内側寸法Ｄｉｎｔより大きい、外側寸法Ｄｅｘｔを一体に画定する唇部２１、２２を提供することによって得られ得る。したがって外形寸法Ｄ’ｅｘｔは、ケーブルがオリフィスＯに挿入されると、Ｄ’ｅｘｔ≧Ｄｅｘｔとなるように画定される。
【００１９】
また、実際的な観点から、これは、変形例では、唇部２１、２２の該寸法Ｄｅｘｔが、レセプタクルの内側寸法Ｄｉｎｔよりも小さいが、寸法Ｄ’ｅｘｔが、この内側寸法Ｄｉｎｔ以上である場合に得られ得る。実際、ケーブルＣは、ケーブルの幾何形状及び性質に応じて、オリフィスＯへのケーブルの挿入中でレセプタクル１１への唇部２１、２２の挿入前に、唇部が外側寸法Ｄｅｘｔから寸法Ｄ’ｅｘｔになるように唇部を変形させる作用を有する場合がある。
【００２０】
したがって、両方の場合において、ケーブルがオリフィスＯに挿入されると、レセプタクル１１へのストラップ２０の唇部２１、２２の挿入は、唇部の外形寸法Ｄ’ｅｘｔがレセプタクルの内側寸法Ｄｉｎｔ以上である（Ｄｅｘｔ’≧Ｄｉｎｔ）ことに起因する、唇部２１、２２の変形を伴う。
【００２１】
したがって、ストラップ２０の唇部２１，２２は、基部１０のレセプタクル１１に力を込めて挿入される。
【００２２】
さらに、唇部２１，２２がレセプタクルに挿入されると、唇部２１，２２のずれがレセプタクル１１によって防止され、オリフィスＯからケーブルが出るのを防止する。
【００２３】
これは、２つの結果を伴う。
【００２４】
第１の結果は、ケーブルがオリフィスＯ内にブロックされている限り、レセプタクル１１によって、唇部２１、２２のどんなずれも防止されることである。したがって、使用中にケーブルがこのオリフィスＯから出ることは回避されるか又は制限される。
【００２５】
第２の結果は、唇部２１、２２がレセプタクル１１内に保持されることである。
【００２６】
レセプタクル１１内での唇部２１、２２の維持された状態を、改善することができる。
【００２７】
この目的のために、また図１の実施例に関する限り、各唇部２１、２２は、オリフィスＯの長手方向軸ＡＬ’に沿って延在する外側溝２５、２６を有し、レセプタクル１１は、レセプタクル１１の長手方向軸ＡＬに沿って延在する２つの突出部１２、１３を有する。突出部１２、１３の配置は、外側溝２５、２６の配置に対応する。さらに、突出部１２、１３の横方向寸法（すなわち、レセプタクル１１の長手方向軸ＡＬに対して横方向に得られる寸法）は、対応する外側溝２５、２６の横方向寸法（すなわち、オリフィスＯの長手方向軸ＡＬ’に対して横方向に得られる寸法）に一致するか、又は有利には、対応する外側溝２５、２６の横方向寸法よりも大きい。したがって、突出部１２、１３と外側溝２５、２６とが係合されることで、使用中に、基部１０からレセプタクル１１の唇部２１、２２が取り外されるのを回避することに寄与する、さらなる維持又はブロックがもたらされる。
【００２８】
レセプタクル１１内での唇部２１、２２の維持された状態もまた、改善することができる。
【００２９】
この目的のために、相補的な手段でストラップ２０を基部１０に装着することが可能である。すなわち、該少なくとも１つの基部１０は、レセプタクル１１の両側にフック１４、１５を備え、該少なくとも１つのストラップ２０は、唇部２１、２２の両側に、レセプタクル１１の対応するフック１４、１５と係合できる、縁部Ｂ１、Ｂ２を備える開口２７、２８を有するので、有利である。こうした相補的な手段により、オリフィスＯの長手方向軸ＡＬ’で画定される方向にほぼ垂直な方向に、ストラップ２０を伸ばすことができる。この張力は、ストラップ２０が基部１０よりも柔軟であるために可能となることを理解されたい。
【００３０】
上記の相補的手段は、取外し可能なストラップ２０の実施態様の実例である。
【００３１】
ストラップが取外しできない場合は、代替手段があり得る。
【００３２】
しかし、ストラップ２０が取外し可能である場合、基部１０は、フック１４と共に、ストラップ２０の縁部Ｂ１をブロックする収容部を画定することを可能にする対向フック１４０を提供することに留意されたい（ユーザの強制的な機械的作用がある場合を除いて）。したがって、ストラップ２０の紛失が回避される。
【００３３】
さらに、基部１０への該少なくとも１つのストラップ２０の取付けを容易にするために、ユーザ用の把持領域ＺＰがストラップ２０に設けられる。ストラップ２０が上記のような相補的手段を備える場合、把持領域は、ストラップ２０の端部の位置にあることが有利である。
【００３４】
さらに、唇部２１、２２の少なくとも一方に、有利には図１に示されるように各唇部２１、２２に、該唇部２１、２２の外面ＳｅｘｔとスロットＦとの間に斜面２３、２４が設けられる。斜面２３、２４又はそのそれぞれは、オリフィスＯへのケーブルの挿入を容易にする。
【００３５】
次に、本発明によるケーブル支持体１００’の第２の実施例を、図２（ａ）〜図２（ｃ）の補助を用いて説明することにする。
【００３６】
第２の実施例による支持体１００’は、唇部２１，２２の外面Ｓｅｘｔに溝がないことにより、第１の実施例による支持体１００と区別される。
【００３７】
しかし、第１の実施例とは逆に、唇部２１、２２はそれぞれ、オリフィスＯの長手方向軸ＡＬ’で画定される方向に沿って厚さが変化する。したがって、図２（ｂ）では、長手方向軸ＡＬ’で画定される方向を追うと、中空領域ＺＣによって分離された２つの突出部Ｒ１、Ｒ２の存在を観察することができる。これは他方の唇部２２も同じである。したがって、唇部２１、２２とレセプタクル１１との間の接触は、これらの突出部Ｒ１、Ｒ２を介して行われる。この幾何形状は、減衰領域、すなわち、唇部２１、２２とレセプタクルとの間の突出部Ｒ１、Ｒ２を画定する。この減衰は、支持体が、またその結果としてケーブルが、振動に曝される環境で重要である。実際、ストラップの柔軟な特性がストラップを振動から保護する場合、中空領域ＺＣによって分離された突出部Ｒ１、Ｒ２によってもたらされる減衰効果が、この保護作用を向上させる。
【００３８】
さらに、ストラップ２０は、それ自体が剛性である基部１０よりも柔軟であり、レセプタクル１１の対応するフック１４、１５と係合できるストラップ２０の縁部Ｂ１、Ｂ２の少なくとも一方が、補強手段Ｍを備えることを実現するのは、有利であり得る。
【００３９】
この可能性は図２に表しているが、第１の実施例でも同様に実施できる。
【００４０】
この補強は、この場合、当該の縁部Ｂ１、Ｂ２のレベルだけで局部化されることを理解されたい。この補強手段Ｍは、さらに図２の場合のように、縁部の幾何形状を弄る（具体的には、ストラップの残りの部分よりも厚くする）ことによって得られ得る。変形例では、この補強手段Ｍを画定するために、当該の縁部Ｂ１、Ｂ２のレベルで、たとえばストラップ２０を形成する材料よりも高密度の材料で作られた挿入物を加えることによって、ストラップ２０の密度を局部的に増加させることが考えられ得る。
【００４１】
次に、本発明によるケーブル支持体の第３の実施例を、図３の補助を用いて説明することにする。
【００４２】
ここで、支持体１００’’は、少なくとも２つのレセプタクル１１、１１’を具備する少なくとも１つの基部１０、及び各レセプタクル１１、１１’と結合されるストラップ２０、２０’を備える。
【００４３】
ここに示すケースでは、レセプタクル１１及びストラップ２０の両方とも、図２の補助を用いて上述したレセプタクル及びストラップと一致する。
【００４４】
しかし、その全体が基部と見なされる基部１０’は、第１の実施例に対して変更され、第２の実施例の突出部１２、１３の通りに突出部１２’、１３’が設けられ、且つ第２の実施例のフック１４、１５の通りにフック１４’、１５’が設けられた、追加のレセプタクル１１’を受容する。
【００４５】
さらに、第２の実施例のストラップ２０の通りのストラップ２０’は、レセプタクル１１’と結合され、したがって、スロットＦ’及びオリフィスＯ’を画定する唇部２１’、２２’、それぞれがレセプタクル１１’の突出部１２’、１３’と係合する外側溝２５’、２６’、フック１４’、１５’それぞれのための開口２７’、２８’、並びにユーザ用把持領域ＺＰ’を備える。
【００４６】
各レセプタクル１１、１１’は、基部１０’の端部に取り付けられるので有利である。オリフィスＯＲは、基部１０’上のレセプタクル１１と１１’との間に設けられ、締付け手段、たとえばボルト又はネジを貫通させ、これにより、本発明による支持体１００’’の外部の固定支持体上への基部１０’の装着が可能となる。
【００４７】
さらに、各レセプタクルは、オリフィスＯ及びＯ’の長手方向軸が確実に平行になるように取り付けられ得る。この場合、２本の並列ケーブルを取り付けることができる。
【００４８】
最後に、図４は、本発明によるケーブル支持体の第４の実施例を表す。
【００４９】
この実施例では、支持体１００’’’は、少なくとも２つのレセプタクル１１、１１’及び２つのレセプタクル用の共通のストラップ２０’’を具備する、少なくとも１つの基部１０’’を備える。
【００５０】
レセプタクル１１、１１’は、図３の補助を用いて上述したレセプタクル１１、１１’と一致する。
【００５１】
しかし、ストラップ２０’は、２つのレセプタクル１１、１１’に共通である。
【００５２】
したがって、ストラップ２０’’は、一方には２１、２２、及び他方には２１’、２２’の２対の唇部を備え、唇部の各対は、２つのレセプタクル１１、１１’の一方と係合するように意図されている。唇部２１、２２は、図１又は図３の補助を用いて上述してきた唇部と同一である。さらに、唇部２１’、２２’は、唇部２１、２２と一致する。
【００５３】
より全体的には、ストラップ２０’’は３つの部分で提示できる。ストラップ２０’’の両端の位置にある第１の部分Ｐ１及び第２の部分Ｐ２、並びに第２の部分Ｐ２を第１の部分Ｐ１に連結する中央部分Ｐｃである。ストラップ２０’’の各部分Ｐ１、Ｐ２は、たとえば図２で説明したようなストラップ２０に類似しているが、ただ１つの開口、すなわち第１の部分Ｐ１用に開口２７を、また第２の部分Ｐ２用に開口２８’を有する。実際、中央部分Ｐｃは、第２の部分Ｐ２を第１の部分Ｐ１に連結するので、より多くの開口を設ける必要はない。
【００５４】
それにもかかわらず、この実施例では、他のすべての場合と同様に、この締付け方法が提供される場合、ストラップは基部を引っ掛ける開口を提供する。
【００５５】
さらに、常に、ストラップ２０’’の中央部分ＰＣの存在により、図２のように、留めることができる足部を備えた基部１０’’を提供するので有利である。
【００５６】
考えられる実施例によらず、基部は剛性材料で作られ、ストラップは基部の材料よりも柔軟な材料で作られる。基部の剛性により、本発明による支持体を、搭載することを意図している固定支持体（図示せず）上に、しっかり取り付けできる。ストラップの柔軟性が、ストラップの変形を可能にし、それにより、ストラップは基部のレセプタクルに挿入され、ある一定の維持を保証できる。この柔軟性により、ストラップの唇部間に形成されたオリフィスに収容される対象となるケーブルも、（機械的に摩擦がより少なく）保護される。この柔軟性により、起こり得る振動からケーブルをよりよく保護することもできる。これは、航空用途で特に重要である。
【００５７】
より具体的には、剛性の基部１０、１０’、１０’’は、熱可塑性材料で作ることができる。これは、熱可塑物が熱をあまり伝導しないので、高温に曝される環境で有利である。
【００５８】
基部のためのこの熱可塑性材料は、ポリエーテルエーテルケトン（ＰＥＥＫ）、ポリイミド（ＰＩ）、ポリエーテルケトンケトン（ＰＥＫＫ）、ポリアミド（ＰＡ）、フェニレンポリスルフィド（ＰＰＳ）、ポリフェニルスルホン（ＰＰＳＵ）、ポリテトラフルオロエチレン（ＰＴＦＥ）、ポリフッ化ビニリデン（ＰＶＤＦ）、クロロトリフルオロエチレンエチレン（Ｅ−ＣＴＦＥ）、ポリエチレン（ＰＥＴ）、ポリプロピレン（ＰＰ）の中から選択され得る。
【００５９】
より具体的には、ストラップ２０、２０’、２０’’はやはり、ショアＡ硬度が４０から８５の間に含まれるエラストマー（Ｅ）で作られてもよく、又はショアＡ硬度が４０から８５の間に含まれる熱可塑性エラストマー（ＴＰＥ）で作られてもよい。この種類の材料（エラストマー、熱可塑性エラストマー）を選択すると、熱をあまり伝導しないので、高温に曝される環境で有利である。さらに、ショアＡ硬度を選択するとやはり、唇部間に形成されるオリフィス内のケーブルの維持された状態が、静止状態で改善され、また支持体がその取付環境に関連する振動に曝される場合にも改善される。さらに、このショアＡ硬度を選択するとまた、支持体がその取付環境に関連する振動に曝される場合に、基部のレセプタクル内の該唇部の維持された状態も改善される。
【００６０】
ストラップ２０、２０’、２０’’について、ショアＡ硬度が４０から８５の間に含まれるエラストマーを検討するとき、このエラストマーは、シリコーン、ブタジエンアクリロニトリル（ＮＢＲ）、フルオロエラストマー、特にフルオロシリコーン、ポリアクリルエラストマー（ＡＣＭ）、ポリクロロプレン（ＣＲ）、アクリル、クロロスルホン化ポリエチレン、エチレン−プロピレンコポリマー、ポリウレタン（ＰＵ）、天然エラストマー（ＮＲ）の中から選択され得る。
【００６１】
ショアＡ硬度が４０から８５の間に含まれる熱可塑性エラストマー（ＴＰＥ）を検討するとき、この熱可塑性エラストマーは、熱可塑性ポリウレタン（ＴＰＵ）であり得る。
【００６２】
具体的には、特に高温での要求の厳しい用途のための、該少なくとも１つの基部１０、１０’、１０’’を形成する材料は、ポリエーテルエーテルケトン（ＰＥＥＫ）であり、該少なくとも１つのストラップ２０、２０’、２０’’を形成する材料は、ショアＡ硬度が４０から８５の間に、有利には５０から７０の間に含まれるシリコーンであることが提示され得る。
【００６３】
具体的には、それほど要求が厳しくない用途では、該少なくとも１つの基部１０、１０’、１０’’を形成する材料は、ポリアミド（ＰＡ）であり、該少なくとも１つのストラップ２０、２０’、２０’’を形成する材料は、ショアＡ硬度が４０から８５の間に含まれるポリウレタン（ＰＵ、エラストマー）であることが提示され得る。
【００６４】
考えられる実施例によらず、本発明による支持体１００、１００’、１００’’、１００’’’にケーブルを取り付ける方法は、本発明による支持体を備えるＥＳＢ組立体を得るために実施することができ、以下のステップを含む。
ａ）基部１０、１０’、１０’’を、本発明による該支持体の外部の固定支持体上に取り付けるステップ。
ｂ）スロットＦ、Ｆ’を通して、該少なくとも１つのストラップ２０、２０’、２０’’の唇部２１、２２、２１’、２２’間で画定されたオリフィスＯ、Ｏ’に、ケーブルＣを挿入するステップ。
ｃ）該少なくとも１つのストラップ２０、２０’、２０’’の該唇部２１、２２、２１’、２２’を、該少なくとも１つの基部１０、１０’、１０’’のレセプタクル１１、１１’に挿入するステップ。
【００６５】
この取付方法を、第１の実施例の支持体１００を用いて図５で表す。
【００６６】
図５（ａ）では、基部１０は、該支持体１００の外部の固定支持体ＳＦ上に取り付けられている、すなわちステップａ）の後且つステップｂ）の前であることが観察される。
【００６７】
図５（ｂ）では、ステップｂ）の後且つステップｃ）の前の支持体１００が観察される。
【００６８】
図５（ｃ）では、ステップｃ）の後の支持体１００が観察される。
【００６９】
図５（ｄ）に表すように、次いでストラップ２０は、基部１０のフック１５を使用して最終的に固定され得る。
【００７０】
さらに、ステップａ）の前に、基部１０のフック１４にストラップ２０を取り付けるステップを設けることができ、基部１０が固定支持体ＳＦに取り付けられた後に、図５（ａ）の構成が得られる。
【００７１】
変形例では、図５（ａ）の構成を目にすることはない。たとえば、ストラップ２０をフック１４に取り付ける前にステップｂ）を実行して、図５（ｂ）の構成が得られる場合である。これは、ステップａ）、ｂ）、及びｃ）の補助を用いて上述した方法と互換性がある。
【００７２】
さらに、ステップの順序を入れ替えることは完全に可能である。
【００７３】
実際、該方法は、ステップｂ）、次いでステップｃ）、次いでステップａ）の順序にすることができる。
【００７４】
実際、該方法はまた、ステップｂ）、次いでステップａ）、次いでステップｃ）の順序にすることができる。
【００７５】
唯一の要件は、唇部２１、２２が基部１０のレセプタクル１１に挿入される前に、ケーブルＣが唇部２１、２２のオリフィスＯに挿入されることである。
【図１（ａ）】
2021516533.tif 000003
【図１（ｂ）】
2021516533.tif 000004
【図１（ｃ）】
2021516533.tif 000005
【図１（ｄ）】
2021516533.tif 000006
【図１（ｅ）】
2021516533.tif 000007
【図１（ｆ）】
2021516533.tif 000008
【図２（ａ）】
2021516533.tif 000009
【図２（ｂ）】
2021516533.tif 000010
【図２（ｃ）】
2021516533.tif 000011
【図２（ｄ）】
2021516533.tif 000012
【図（２ｅ）】
2021516533.tif 000013
【図３】
2021516533.tif 000014
【図４】
2021516533.tif 000015
【図５（ａ）】
2021516533.tif 000016
【図５（ｂ）】
2021516533.tif 000017
【図５（ｃ）】
2021516533.tif 000018
【図５（ｄ）】
2021516533.tif 000019
【国際調査報告】
2021516533.tif 000020
2021516533.tif 000021
2021516533.tif 000022
2021516533.tif 000023
2021516533.tif 000024
2021516533.tif 000025